(57)【要約】【課題】ラインローラの回転性の安定化を図りながら、ラインローラの軸受機能と防水機能を共に向上させた釣糸案内装置を有する魚釣用スピニングリールを提供する。【解決手段】ラインローラ２３は、軸受２５，２７を介して支持部材１１の支持部１７に回転可能に支持されている。軸受は、ラインローラの内周面と支持部材の支持部との間に介在されており、軸方向に並列して且つ分離配置されている。軸受の対向端は、共に、ラインローラの内周面の係止部２９に当て付けられている。軸受２５の外側端は、第１のシール材３１を介して支持部材の支持部の係止部３３に当て付けられ、軸受２７の外側端は、第２のシール材３５を介して支持部材の係止部３７に当て付けられている。第１及び第２のシール材は、軸受と係止部との間で挟持された状態に支持される。【選択図】図２
2007209357.tif 000002
【特許請求の範囲】
【請求項１】
ハンドルに連動して回転するロータと、このロータに取り付けられた支持アームと、この支持アームに装着された支持部材とを有し、この支持部材の支持部に釣糸案内装置を構成するラインローラを、軸受を介して回転可能に支持した魚釣用スピニングリールにおいて、
前記ラインローラの内周に係止部を突出形成し、その両端面に２つの軸受を当て付けて分離配置すると共に、前記ラインローラを、前記２つの軸受によって軸方向の移動が規制されるように前記支持部に支持し、
前記２つの軸受の夫々の外側に、前記ラインローラと支持部との間に径方向に沿ってシール材を介在したことを特徴とする魚釣用スピニングリール。
【請求項２】
ハンドルに連動して回転するロータと、このロータに取り付けられた支持アームと、この支持アームに装着された支持部材とを有し、この支持部材の支持部に釣糸案内装置を構成するラインローラを、軸受を介して回転可能に支持した魚釣用スピニングリールにおいて、
前記ラインローラを、ラインローラの内周面と前記支持部との間に、軸方向に並列して且つ分離配置された２つの軸受を介して軸方向の移動が規制されるように支持し、
前記２つの軸受の夫々の外側端は、シール材を介して前記支持部及び支持部材側に形成した係止部に当て付けられており、
前記シ―ル材は、前記支持部の外周とラインローラの内周との間をシールすると共に、前記軸受と係止部との間で挟持された状態で支持されていることを特徴とする魚釣用スピニングリール。
【発明の詳細な説明】
【技術分野】
【０００１】
本発明は、魚釣用スピニングリールに関し、詳しくは、ハンドルに連動回転するロータと共に回転しながらスプールに釣糸を案内する釣糸案内装置に特徴を有する魚釣用スピニングリールに関する。
【背景技術】
【０００２】
従来から、魚釣用スピニングリールの釣糸案内装置には、釣糸を案内しながらスプールに巻回させるためのラインローラが設けられている。このようなラインローラは、釣糸の案内性を向上するため、軸受を介して回転可能に支持されているが、水分やゴミ等が多量に付着した釣糸に直接接触する部分であるため、ラインローラの外周はもとより、ラインローラを支持する支持部材の内部へも水分やゴミ等が浸入し易くなっている。そして、水分やゴミ等が浸入した場合、ローラの回転性が低下して巻き上げ効率が劣ったり、錆を誘発して釣糸案内機能に支障をきたしたり等の不具合が発生する。
【０００３】
そこで、例えば、特許文献１や特許文献２等に開示されているように、防水構造を施すことによってラインローラの回転性の向上や防錆を図った釣糸案内装置が提案されている。
【特許文献１】実開平６−１５４６９号公報
【特許文献２】特開平８−３０８４４４号公報
【発明の開示】
【発明が解決しようとする課題】
【０００４】
しかしながら、上述したような釣糸案内装置には、以下のような問題が残されている。
【０００５】
特許文献１に開示された釣糸案内装置には、ラインローラ側部と支持部材との隙間に粘稠状シールが充填されているが、粘稠状シールは、長期間の使用によって、例えば水と混ざって変質したり劣化して硬化し易いため、ローラの回転性が低下、更には不安定になってしまう。また、粘稠状シールは、使用後のメンテナンス分解の洗浄時に除去されてしまうため、再度充填しなければならず、メンテナンス性が悪く、また不経済でもある。
【０００６】
特許文献２に開示された釣糸案内装置は、軸受の外輪とラインローラの内面との間にブッシュを介在させ、このブッシュの一端部に形成した内側突起部を支持部材に当接（以下、当接部という）させると共に、ブッシュの他端部内面と軸部との間にシール材を介在させて、ラインローラ軸受の防水を図るように構成されている。このような構成において、ラインローラの支持精度を維持するために硬質材から成るブッシュを使用すると、上記当接部に対する充分な防水を確保することが困難になると共に、上記当接部の当接力によってはラインローラの回転性が低下してしまう。そこで、防水性を考慮して弾性材から成るブッシュを使用すると、ラインローラを安定して支持することが困難になり、その結果、ガタ付きや偏芯による回転不良が生じてしまう。
【０００７】
本発明は、上記した問題を解決するために成されたものであり、ラインローラの回転性の安定化を図りながら、ラインローラの軸受機能と防水機能を共に向上させた釣糸案内装置を有する魚釣用スピニングリールを提供することを目的とする。
【課題を解決するための手段】
【０００８】
このような目的を達成するために、本発明は、ハンドルに連動して回転するロータと、このロータに取り付けられた支持アームと、この支持アームに装着された支持部材とを有し、この支持部材の支持部に釣糸案内装置を構成するラインローラを、軸受を介して回転可能に支持した魚釣用スピニングリールにおいて、前記ラインローラの内周に係止部を突出形成し、その両端面に２つの軸受を当て付けて分離配置すると共に、前記ラインローラを、前記２つの軸受によって軸方向の移動が規制されるように前記支持部に支持し、前記２つの軸受の夫々の外側に、前記ラインローラと支持部との間に径方向に沿ってシール材を介在したことを特徴としている。
【０００９】
また、上記した目的を達成するために、本発明は、ハンドルに連動して回転するロータと、このロータに取り付けられた支持アームと、この支持アームに装着された支持部材とを有し、この支持部材の支持部に釣糸案内装置を構成するラインローラを、軸受を介して回転可能に支持した魚釣用スピニングリールにおいて、前記ラインローラを、ラインローラの内周面と前記支持部との間に、軸方向に並列して且つ分離配置された２つの軸受を介して軸方向の移動が規制されるように支持し、前記２つの軸受の夫々の外側端は、シール材を介して前記支持部及び支持部材側に形成した係止部に当て付けられており、前記シ―ル材は、前記支持部の外周とラインローラの内周との間をシールすると共に、前記軸受と係止部との間で挟持された状態で支持されていることを特徴としている。
【００１０】
上記した構成によれば、ラインローラは、分離配置される２つの軸受によって軸方向の移動が規制されることから、安定した状態で回転可能に支持された状態となり、かつ、各軸受の外側にシール材が配置されることから、ラインローラの軸受機能の安定化が図れると共に、防水機能が向上する。
【発明の効果】
【００１１】
本発明によれば、ラインローラの回転性の安定化を図りながら、ラインローラの軸受機能と防水機能を共に向上させた釣糸案内装置を有する魚釣用スピニングリールを提供することができる。
【発明を実施するための最良の形態】
【００１２】
以下、本発明の第１の実施の形態に係る魚釣用スピニングリールについて、添付図面を参照して説明する。
【００１３】
図１に示すように、魚釣用スピニングリールのリール本体１内には、ハンドル３の回転操作によって回転駆動する駆動歯車（図示しない）が設けられており、この駆動歯車には、ピニオン（図示しない）が噛合している。ピニオン内には、スプール軸（図示しない）が軸方向に挿通されており、このスプール軸の先端には、釣糸が巻回されるスプール５が回転可能に取り付けられている。この場合、スプール軸（スプール）は、駆動歯車に係合するオシレーティング機構（図示しない）を介して、駆動歯車の回転によって前後動するように構成されている。
【００１４】
また、ピニオンの先端には、このピニオンと一体的に回転するロータ７が取り付けられており、このロータ７には、一対の支持アーム９が設けられている。これら支持アーム９には、夫々、支持部材１１を介して、ベール１３が釣糸放出状態と釣糸巻回状態に回動可能に支持されている。そして、一方の支持部材１１とベール１３の端部との間には、後述するような釣糸案内装置１５が支持されている。
【００１５】
このような構成において、ハンドル３を回転操作すると、その回転運動は、駆動歯車を介してピニオンに伝達され、このピニオンを介してロータ７を回転させると共に、オシレーティング機構を介してスプール軸に伝達され、スプール５を前後動させる。これにより、釣糸は、釣糸案内装置１５を介してスプール５に片寄ること無く均等に巻回される。
【００１６】
図２に示すように、本実施の形態に適用される釣糸案内装置１５は、一方の支持部材１１にネジ１９によって締結されており、このネジが螺入されるよう軸方向に延出する支持部１７が形成されたラインスライダ２１を有している。なお、支持部１７は、図に示すように、ラインスライダ２１に一体形成されていても良いし、支持部材１１側に一体形成されていても良い。
【００１７】
ラインスライダ２１には、ベール１３の一方の基端部が接続されており、釣糸巻取開始時にベール１３を釣糸巻回状態に回動させると、釣糸がベール１３からラインスライダ２１を介して、釣糸案内装置１５の一構成部材であるラインローラ２３に案内されるようになっている。
【００１８】
ラインローラ２３は、２つの軸受２５，２７を介して前記支持部１７に回転可能に支持されている。この場合、ラインローラ２３は、中空の略筒体形状を成しており、その外周面は平滑化されている。これにより、釣糸巻取時にベール１３からラインスライダ２１を介して案内された釣糸は、ラインローラ２３の外周面を滑らかに経由しながらスプール５に巻回される。なお、ラインローラ２３の外周形状については、特に限定されることはない。
【００１９】
２つの軸受２５，２７は、ラインローラ２３の内周面と支持部１７との間に介在されており、軸方向（ラインローラ２３の回転軸Ａに沿った方向）に並列して且つ分離配置されている。
【００２０】
これら２つの軸受２５，２７の対向端は、共に、ラインローラ２３の内周面に突出形成された係止部２９の両端面に当て付けられている。そして、軸受２５の外側端は、第１のシール材３１を介して、前記支持部１７に形成された係止部３３に当て付けられており、一方、軸受２７の外側端は、第２のシール材３５を介して、支持部材１１に形成され、支持部１７の端部を覆う係止部３７に当て付けられている。
【００２１】
この場合、２つの軸受２５，２７は、各係止部２９，３３，３７によって軸方向への移動が規制された状態で維持されている。そして、第１及び第２のシール材３１，３５は、支持部１７の外周とラインローラ２３の内周との間をシールすると共に、２つの軸受２５，２７と係止部３３，３７との間で挟持された状態に支持される。この結果、２つの軸受２５，２７に支持されているラインローラ２３は、これら軸受２５，２７を介して、支持部材１１の支持部１７に対する軸方向への移動が規制された状態で回転可能に支持されると共に、各軸受２５，２７は、シール材３１，３５を介してシールされた状態になる。
【００２２】
なお、第１及び第２のシール材３１，３５としては、例えば、ニトリルゴム、ウレタンゴム、フッ素ゴム、シリコンゴム、エチレンプロピレンゴム等の材料を適用することが可能である。また、第１及び第２のシール材３１，３５の形状は、リング状或いは円弧状を成している場合が想定されるが、ラインローラ２３の内部に対する防水機能を発揮できる限りにおいて、特にその形状は一定のものに限定されることは無く、任意の形状を適用することが可能である。
【００２３】
以上、本実施の形態によれば、第１及び第２のシール材３１，３５と２つの軸受２５，２７とを軸方向に分離配置したことによって、ラインローラ２３の軸受機能と防水機能を共に向上させた釣糸案内装置１５を実現することができる。この結果、ラインローラ２３の円滑な回転性を長期間に亘って維持し続けることが可能となる。
【００２４】
そして、上記したような構成に加え、係止部２９，３３，３７によって各軸受２５，２７を係止させてラインローラ２３の軸方向への移動を規制しているため、第１及び第２のシール材３１，３５の変形や傷付き等を防止することができ、長期間に亘って良好な防水機能を維持し続けることが可能となる。
【００２５】
次に、本発明の第２の実施の形態に係る魚釣用スピニングリールについて、図３を参照して説明する。
【００２６】
なお、以下に説明する実施の形態では、釣糸案内装置１５の構成が異なり、その他の構成は、上述した第１の実施の形態と同様である。従って、以下の説明においては、釣糸案内装置１５の異なる部分の説明に留め、第１の実施の形態と同一の構成には、同一符号を付して、その説明を省略する。
【００２７】
図３に示すように、本実施の形態に適用した釣糸案内装置１５において、第１のシール材３１は、その一部が支持部１７の外周面に形成された円周溝３９に嵌合されており、第２のシール材３５は、当付部材４１に当て付けられている。この場合、当付部材４１は、支持部材１１及びラインスライダ２１とは別体で形成されており、装置組立時に、ラインローラ２３と支持部材１１との間に配置されるようになっている。
【００２８】
また、軸受２５は、円周溝３９に嵌合した第１のシール材３１の弾性力によって、係止部２９方向に押圧されると共に、この押圧力は軸受２７を介して第２のシール材３５に伝達され、当付部材４１で保持されるようになっている。従って、当付部材４１は、例えば、金属、ＰＯＭ、ＡＢＳ等の比較的剛性の高い材料で形成することが好ましい。
【００２９】
上記したような構成によれば、釣糸巻取時に釣糸案内装置１５が矢印Ｒ方向に回転移動すると、ラインローラ２３を経由する釣糸からの力が矢印Ｂ方向に作用するが、この矢印Ｂ方向の力は、当付部材４１によって保持される。また、反対方向への力が作用した場合でも、その力は、第１のシール材３１によって実用上支障の無い程度に保持される。すなわち、２つの軸受２５，２７は、第１のシール材３１と当付部材４１によって軸方向への移動が規制された状態に維持されることとなり、２つの軸受２５，２７に支持されているラインローラ２３は、これら軸受２５，２７を介して、支持部１７に対して軸方向の移動が規制されるように支持されることになる。
【００３０】
なお、その他の作用効果は、第１の実施の形態と同様であるため、その説明は省略する。
【００３１】
次に、本発明の第３の実施の形態に係る魚釣用スピニングリールについて、図４を参照して説明する。
【００３２】
図４に示すように、本実施の形態に適用した釣糸案内装置１５において、第１のシール材３１は、その一部がラインローラ２３の外周に形成された周溝４３に嵌合されており、第２のシール材３５は、その一部がラインローラ２３の内周に形成された周溝４５に嵌合されている。この場合、２つの軸受２５，２７の対向端は、共に、ラインローラ２３の内周面に形成された係止部２９に当て付けられている。そして、前記第１の実施形態と同様、軸受２５の外側端は、支持部１７に形成された係止部３３に当て付けられており、一方、軸受２７の外側端は、支持部材１１に形成された係止部３７に当て付けられている。
【００３３】
このような構成によれば、２つの軸受２５，２７は、係止部２９，３３，３７によって軸方向への移動が規制された状態に維持されため、これら２つの軸受２５，２７に支持されているラインローラ２３は、軸受２５，２７を介して、支持部１７に対する軸方向への移動が規制されるように支持される。
【００３４】
また、各軸受は、第１のシール材３１、第２のシール材３５によって防水されるため、ラインローラ２３の円滑な回転性を長期間に亘って維持し続けることが可能となる。
【００３５】
なお、その他の作用効果は、第１の実施の形態と同様であるため、その説明は省略する。
【００３６】
次に、本発明の第４の実施の形態に係る魚釣用スピニングリールについて、図５を参照して説明する。
【００３７】
図５に示すように、本実施の形態に適用した釣糸案内装置１５において、２つの軸受２５，２７は、ラインローラ２３の各外端面に当付部６２，６４を介して当て付け保持され、その内周面に配設された第１及び第２のカラー６１，６３と、支持部１７との間に介在されており、軸方向に並列して且つ分離配置されている。
【００３８】
２つの軸受２５，２７の対向端は、第１及び第２のカラー６１，６３の夫々内側に、中心に向かって突出するように形成された係止部６５，６７に夫々当て付けられている。すなわち、軸受２５は、その外側端が第１のシール材３１を介して係止部３３に当て付けられ、その対向端が第１のカラー６１の係止部６５に当て付けられている。また、軸受２７は、その外側端が第２のシール材３５を介して係止部３７に当て付けられ、その対向端が第２のカラー６３の係止部６７に当て付けられている。
【００３９】
この場合、２つの軸受２５，２７は、係止部３３，６５，３７，６７によって軸方向への移動が規制された状態に維持される。そして、第１及び第２のシール材３１，３５は、２つの軸受２５，２７と係止部３３，３７との間で挟持された状態に支持される。この結果、２つの軸受２５，２７に支持されているラインローラ２３は、これら軸受２５，２７を介して、支持部１７に対する軸方向への移動が規制されるように支持されることになる。
【００４０】
なお、第１及び第２のカラー６１，６３としては、例えば、ＰＯＭ、ＡＢＳ等の材料を適用することが望ましい。
このような構成によれば、金属やセラミック等、加工し難い材料でできたラインローラ内周の段付き加工を省いて軸方向の移動規制と防水ができる、という効果を得ることができる。
【００４１】
なお、その他の作用効果は、第１の実施の形態と同様であるため、その説明を省略する。
【図面の簡単な説明】
【００４２】
【図１】魚釣用スピニングリールの外観構成を示す図。
【図２】本発明の第１の実施の形態に適用した釣糸案内装置の構成を示す断面図。
【図３】本発明の第２の実施の形態に適用した釣糸案内装置の構成を示す断面図。
【図４】本発明の第３の実施の形態に適用した釣糸案内装置の構成を示す断面図。
【図５】本発明の第４の実施の形態に適用した釣糸案内装置の構成を示す断面図。
【符号の説明】
【００４３】
１１  支持部材
１７  支持部
２３  ラインローラ
２５，２７  軸受
２９，３３，３７  係止部
３１  第１のシール材
３５  第２のシール材
【図１】
2007209357.tif 000003
【図２】
2007209357.tif 000004
【図３】
2007209357.tif 000005
【図４】
2007209357.tif 000006
【図５】
2007209357.tif 000007